(57)【要約】【課題】本発明が解決しようとする課題は、照明器具管理に適した操作性のよいリモコン送信機を提供することである。【解決手段】上記課題を解決するために、実施形態のリモコン送信機は、直方体形状の本体と、本体長手部方向の一端側に設けられた送受信部と、本体の表面の一端側に形成された表示部と、表示部と同じ面に配設され、表示部よりも他端側に配設された操作部と、本体の中心領域よりも一端側の側面に位置するとともに、外部端末と通信接続可能な端子挿入部と、を備える。【選択図】図２
2018098000.tif 000002
【特許請求の範囲】
【請求項１】
直方体形状の本体と；
前記本体長手部方向の一端側に設けられた送受信部と；
前記本体の表面の前記一端側に形成された表示部と；
前記表示部と同じ面に配設され、前記表示部よりも他端側に配設された操作部と；
前記本体の中心領域よりも前記一端側の側面に位置するとともに、外部端末と通信接続可能な端子挿入部と；
を備えるリモコン送信機。
【請求項２】
前記送受信部は、対応する照明器具への点検実行指令を送信可能かつ前記照明器具情報を受信可能である請求項１に記載のリモコン送信機。
【発明の詳細な説明】
【技術分野】
【０００１】
本発明の実施形態はリモコン送信機に関する。
【背景技術】
【０００２】
非常灯や誘導灯といった防災光源は例えばビルの通路や部屋に設置され、火災や地震などにより商用電源が停電した際には光源を非常点灯し、スムーズな避難を可能にする。すなわち防災光源は通常時には商用電源で光源を点灯するとともにバッテリ回路のバッテリに充電し、商用電源が停電となったときにはバッテリ回路から照明装置に電源を供給して光源を非常点灯するようにしている。
【０００３】
防災光源は消防法により、商用電源からの供給断絶時に一定時間光源が非常点灯することを確認する定期点検が義務付けられているが、防災光源の設置数が膨大な大型施設においては、点検作業者は一つの装置ごとに一定時間を拘束されるとともに、点検日時や結果を記録しなくてはならないため、作業にかかる労力が増大する課題があった。
【０００４】
また、例えば非常灯などの防災照明装置は、正確な動作を維持して安全を確保するため、設置から数年後に交換推奨目安が設けられている。従来交換推奨目安の確認は、照明装置設置時に設置者が照明装置本体にシールなどで設置年月日を記入するなどしてきた。
【０００５】
しかし天井面等高所に設置されることの多い防災照明装置では、装置本体に記載した年月日を後から確認するのは容易ではなく、多数の防災照明装置を備える施設などでは照明装置ごとの交換推奨目安を管理することも多大な労力がかかっていた。
【先行技術文献】
【特許文献】
【０００６】
【特許文献１】特開２００３−９２０１３号公報
【発明の概要】
【発明が解決しようとする課題】
【０００７】
本発明が解決しようとする課題は、照明器具管理に適した操作性のよいリモコン送信機を提供することである。
【課題を解決するための手段】
【０００８】
上記課題を解決するために、実施形態のリモコン送信機は、
【０００９】
直方体形状の本体と、本体長手部方向の一端側に設けられた送受信部と、
【００１０】
本体の表面の一端側に形成された表示部と、表示部と同じ面に配設され、表示部よりも他端側に配設された操作部と、本体の中心領域よりも一端側の側面に位置するとともに、外部端末と通信接続可能な端子挿入部と、を備える。
【００１１】
本発明によれば、リモコン送信機の操作性を損なわず外部端末との通信が可能である。
【図面の簡単な説明】
【００１２】
【図１】実施形態のリモコン送信機の正面図。
【図２】実施形態のリモコン送信機の斜視図。
【図３】実施形態のリモコン送信機の背面図。
【図４】実施形態のリモコン送信機および実施形態のリモコン送信機を用いた照明器具点検システムを示す図。
【発明を実施するための形態】
【００１３】
以下、発明を実施するための実施形態について説明する。
【００１４】
図１は、本発明の実施形態の一例の正面図を示す図であり、図２は、本発明の実施形態の一例の斜視図を示す図であり、図３は、本発明の実施形態の一例の背面図を示す図である。図４は、本発明の実施形態のリモコン送信機を用いた照明点検システムを表す図である。
【００１５】
本発明による実施形態の一例としてのリモコン送信機は、略直方体形状の本体6からなり、本体6の長手方向の操作者と対向する方向にある一端側を端A、端Aと対向する側を端Bとする。端A側寄りの表面に略同一平面状となるよう表示部1が配設され、表示部1より端B側に、操作者が本体6を片手で保持した際、本体6を保持する片手指での操作が可能なようにスイッチ等が配設された操作部2が配設される。また、本体6の端A側側面に送受信部4を備え、無線信号としての赤外線等による指令や信号を送受信部4により送受信する。また、内部には送受信部4や操作部2からの入力を受けて動作する制御部を備える。指令には、点検指令、履歴確認指令などがあり、信号にはリセット信号などがある。
【００１６】
内部の制御部に日時設定機能を有する日時設定部を備え、例えば日付機能を呼び出す副操作部24のボタンを押下し、中心操作部22によってアップダウン等の操作をすることにより、日付等の任意の日時情報を本体6に設定できる。また、日時設定後は副操作部24を押下することで現在時刻を表示部1に呼び出せる。
【００１７】
また、対応する照明器具にアドレスを割り振って設定するアドレス操作部21や、対応する照明器具に点検実行指令を送る点検操作部などを備えることで、対応する照明器具の点検が容易となる。
【００１８】
このとき表示部1が本体6中心付近に配設され、スイッチ等の操作部2の一部が表示部1より端A側に配設されていてもかまわない。また、表示部1と操作部2がタッチパネルなどで一体として形成され、本体6を保持した際に本体6を保持する片手指でタッチパネルでの操作が可能なよう設計されているものであってもよい。また、操作部2のうち操作頻度が低いと思われるスイッチ等をスライドさせて開閉するようなカバー部材で覆い、埃の堆積を防ぐ構造としてもよい。
【００１９】
また、本体6側面の中心より端A側にはパーソナルコンピュータやスマートフォン、タブレット端末等の外部端末と接続可能なUSB等の端子挿入部3を備える。このとき端子挿入部3は、本体6を片手で操作部2を操作可能なように保持した際、本体6を保持する片手指に隠れない位置に配設される。これにより、外部端末と本発明の実施形態であるリモコン装置とを接続した状態で操作部2を操作することが可能ため、複数の照明器具と連続してデータ送受信を行い外部端末へのデータ読み出しを行うことが可能となり、点検作業等の効率を向上させ、作業時間を短縮させることができる。
【００２０】
なお、端子挿入部3は操作部2を操作する手指によって隠れない位置に配値されていれば本体6の側面や背面に配設されていてもよい。また、ここでいう操作部2とは対応する照明器具から受信したデータを選択する中心操作部22や受信データの外部端末への読み出しを行う副操作部24を指し、中心操作部22や副操作部24を操作する際に本体6を保持する側の操作者の片手指に隠れない位置に端子挿入部3は配設される。
【００２１】
次に、図４および図１、図２を用いて本発明の実施形態を用いた照明器具の点検システムについて説明する。図４は本発明の実施形態を用いた照明器具点検システムの一例を示した図である。
【００２２】
例えば誘導灯などの本発明の実施形態を用いる点検システムに対応する照明器具は、光源と、モニタランプと、光源点灯回路と、停電検出回路と、バッテリ回路と、対応する照明器具の送受信部と、演算制御装置と、記憶装置とを有する。
【００２３】
光源点灯回路は、通常時に動作して照明器具を点灯させる、商用電源からの交流電源を使用して照明器具に供給する回路である。通常点灯モードは、光源点灯回路により光源が点灯されているモードをいう。
【００２４】
バッテリ回路は、通常時には商用電源からの交流電源をいったん直流電源に変換し、変換された直流電源を充電するものである。そして、商用電源からの供給が遮断されたとき、バッテリからの直流電源を照明器具に供給する。非常点灯モードとは、バッテリからの直流電源により光源が点灯されているモードをいう。
【００２５】
本発明の実施形態による照明器具は、通常点灯モードにおいては商用電源から供給され光源点灯回路を介して点灯する光源と、点検実行中であることを示して点灯または点滅するモニタランプを備える。また、本体6からの指令や信号を受信する対応する照明器具の送受信部と、送受信回路から入力されて種種の制御を行う演算制御装置と、本体6から受信した日時情報やアドレス情報および点検指令による点検の結果である光源種別、光源状態、電池状態などの状態情報を記憶する記憶装置を備える。
【００２６】
光源は、停電検出回路によって商用電源からの供給断絶を検出すると、演算制御装置によってバッテリ回路による非常点灯モードに切り替わる。モニタランプは、本体6からの点検指令を受信して演算制御装置により光源が非常点灯モードとなって点灯する際に点灯または点滅する。
【００２７】
通常点灯モードにおいて演算制御装置は、例えばマイクロコンピュータ等によって構成され、照明器具が商用電源より供給を受けて光源点灯回路により光源の点灯を行うとき、商用電源からの交流電源を直流電源に変換してバッテリ回路に充電を行うよう制御する。また、停電などで商用電源からの供給が途絶えた際、バッテリ回路に充電していた電源から供給して光源を点灯するよう制御する。
【００２８】
また、演算制御装置は、本体6から対応する照明器具の送受信部を介して日時情報をともなう点検指令が入力されると、光源点灯回路と商用電源との接続を遮断して疑似停電状態とし、バッテリ回路から光源へ電源の供給が行われる非常点灯モードとなり、点検中はモニタランプが点灯または点滅するように制御を行う。
【００２９】
記憶装置は、積算通電時間と、本体6により設定されたアドレスと、点検終了後に演算制御装置によって点検結果および照明器具の状態と点検を行った際に本体6から入力された日付等の日時情報を記憶する。
【００３０】
また、対応する照明器具の送受信部を介して履歴確認指令が入力されると、演算制御装置が動作し、記憶装置に記憶された設定されたアドレスと、積算通電時間と、以前の点検結果と、それに付随する日時情報を、対応する照明器具の送受信部を介して本体6の送受信部に送信する。これにより、点検日時をはじめとした照明器具の情報を簡単に記憶し、表示部1に呼び出すことができる。
【００３１】
本体6に設定した日時情報は、無線信号により点検指令とともに送受信部を介して照明器具に送信され、点検終了時に点検結果とともに照明器具の記憶装置に記憶される。本体6が履歴確認指令を該照明器具に送信した際、記憶装置に記憶された点検実行した日時情報をともなう点検結果の履歴が本体6に送信される。
【００３２】
無線信号は、一回の送信の中であっても周波数のハイとローの組み合わせによって設定されるデータコマンドに、点検実行指令や日時情報等を割り当てた信号が組み合わされて同時に送信されることが可能である。点検操作部23に設けられた点検実行ボタンを押下することにより、点検実行指令と日時情報がともに対応する照明器具の送受信部に受信されることで演算制御装置は点検実行制御を行う。
【００３３】
また、設定したアドレスを選択して点検操作部23に設けられた履歴確認ボタンを押下することにより任意の照明装置の日時情報や光源状態情報を含む点検履歴を照明装置から携帯端末へ送信させることができる。
【００３４】
また、本体6は制御部にアドレス設定機能を有するアドレス操作部21を備え、例えば操作部2のアドレス操作部21のボタンを押下し、中心操作部22を操作して任意の数字を選択し、アドレス操作部21に設けられた送信ボタンを押下して設定したい照明器具に送信することにより照明器具にアドレスを設定でき、照明器具の記憶装置に前記任意の数字がアドレスとして記憶される。
【００３５】
本体6からアドレス操作部21に設けられた確認ボタンを押下して呼び出し指令を送信することにより、受信した照明器具は記憶装置に記憶されたアドレス情報と状態情報を本体6に送信する。これにより前回の点検から時間が経ち照明器具のアドレスが不明になった場合、本体6によって容易にアドレス情報を呼び出すことが可能である。
【００３６】
照明器具ごとの点検日時が明確になることで次回の点検日時を把握しやすく、かつアドレスごとに光源状態情報を得られるため、従来点検作業者が点検日時および結果を手動で記憶・整理していた膨大な手間を大きく削減でき、効率的な管理が可能となる。
【００３７】
照明器具ごとの積算通電時間を照明器具の記憶装置に記憶でき、記憶した情報を本体6およびその他の情報端末に送信することにより、アドレスを割り振った照明器具ごとの積算通電時間を記憶でき、かつ情報端末によって記憶を整理できるため、照明器具の使用時間がわかり、交換推奨時期の確認や管理がきわめて容易となる。
【００３８】
また、例えば本体6を通じて他のタブレット端末やパーソナルコンピュータ等の情報端末とアドレス設定を行った照明器具に関する点検履歴の送受信を行うことで、複数の照明器具の点検履歴管理をより手軽に効率よく行うことができる。アドレスを割り振った照明器具ごとに点検履歴を確認できるため、大型施設など大量の防災光源を設置している場所であっても、階数ごとやブースごとといった区切りで日時をずらして少数ずつ照明器具の点検を行うことができ、作業人数や作業時間を無理なく割り当てることも可能になる。
【００３９】
ここまで本発明の実施形態のリモコン装置および実施形態のリモコン装置を用いた照明点検システムについて記載したが、これらの実施形態は、例として提示したものであり、発明の範囲を限定することは意図していない。例えば端子挿入孔3が配設される位置は、操作者が本体6を保持する際に保持した片手およびその指によって対応する端子の挿入が妨げられない位置に設けられ、操作部2が設けられるような中心領域を除く側面であれば端A側の送受信部4の横に配設されてもよいし、操作者側となる端B側に配設されてもよい。また、中心操作部22や副操作部24の設けられた領域の側面に重ならない位置であれば右側面であっても左側面であってもよいし、不使用時には塵埃堆積や虫の侵入を防止するために端子挿入孔3を覆い、本体6と一体化できるようなカバーを設けてもよい。
【００４０】
好ましい形態としては、図２に示すように、操作者が端B側から本体6を保持操作することを想定した形態において、中心より端A側の表示部横付近の側面に端子挿入部3が設けられる。これにより端子挿入孔3に外部端末との接続端子を挿入して有線で接続した際も、接続ケーブルを操作者の手に当たりにくい位置に保持でき、快適な操作性が得られる。
【００４１】
また、本体6長手方向の一端側である端A側面等の外部に無線信号の送受信が行いやすい位置に送受信部4を備える。本体6は操作者の右手あるいは左手によって保持しながら操作することを意図しており、持ちやすい形態とするために円柱状や平板状、卵形等の曲面を含む形状としてもよいし、本体6部材に指や手に沿う形状の凹凸や滑り止めとしての凹凸が加工されていてもよい。また、本体6筐体の材質は主に樹脂等からなり、持ちやすさを向上させるため握り位置にあたる一部にゴムやシリコン樹脂などの高摩擦部材を取り付けてもよい。
【００４２】
また、送受信部4は、例えば赤外線による無線指令を送信可能なLED（Light Emitting Diode）からなる送信部と、外部器具からの無線信号による情報を受信可能な受信部を有している。送受信部はLED等の送信部・受信部が本体6に空けられた孔より露出していてもよいし、透光性のカバーで覆うなどして意匠性を高め、手入れのしやすい形状としてもよい。
【００４３】
あるいは電池収納部5は、例えば本体6背面の中心より端B側に取り出し口を設けられ、本体6内部に電源供給を行うように電池を収納することができる。このとき電池収納部5は本体6中心部や本体6の端A側に設けられていてもよいし、図１での副操作部24にあたる位置に設けられることで電池の交換を容易にしてもよい。
【００４４】
また、本体6を例えば端B側側面を底面として自立可能な設計とした場合には底面付近に重心が来るよう電池収納部は本体6中心より端B側に設けられることが望ましい。なお、本体6側面や背面に本体6が自立可能なように複数の突起等が設けられていてもよい。これにより、複数の照明器具の点検管理中に一時的に本体6を机等の場所に置き、再び保持するという動作が無駄なく行えるようになり、照明器具の点検管理が効率化される。
【００４５】
また、本発明の実施形態であるリモコン送信機の形状に対応するホルダーを、対応する照明器具の設けられた室内の壁面に設置し、本体6を保持させるようにしてもよいし、フック等の突起に引っ掛けられるよう本体6の背面部材にフック等の形状に引っ掛けられる穴を設けてもよい。これにより、本体6そのものの保管場所を定められ、点検管理を行う期間が開いたとしても本体6を紛失する危険性がなくなり、管理がしやすくなる。
【００４６】
なお、本発明の実施形態のリモコン送信機と対応する照明点検システムについては、照明器具は天井に配設されることの多い非常灯であってもよいし、誘導経路に配設される誘導灯であってもよい。またはその他の点検が必要な照明装置であってもよい。
【００４７】
例えば照明器具は天井に配設されることの多い非常灯であってもよいし、誘導経路に配設される誘導灯であってもよい。またはその他の点検が必要な照明器具であってもよい。また、例えば日時情報とは日付のみの情報であってもよいし、年や時間、曜日情報を含むものであってもよい。これら新規な実施形態は、その他の様々な形態で実施されることが可能であり、発明の要旨を逸脱しない範囲で、種種の省略、置き換え、変更を行うことができる。これら実施形態やその変形は、発明の範囲や要旨に含まれるとともに、特許請求の範囲に記載された発明とその均等の範囲に含まれる。
【符号の説明】
【００４８】
1…表示部
2…操作部
21…アドレス操作部
22…中心操作部
23…点検操作部
24…副操作部
3…端子挿入部
4…送受信部
5…電池収納部
6…本体
【図１】
2018098000.tif 000003
【図２】
2018098000.tif 000004
【図３】
2018098000.tif 000005
【図４】
2018098000.tif 000006